(57)【要約】【課題】  ラッチボルトなどの係合により板カムに負担が掛からず、上下方向に長く作られている場合にあっても円滑な調整が可能な調整ストライクを提供する。【解決手段】  本発明である調整ストライク１は、前方が開口された箱形状の固定の外ケースであるトロヨケ２内に左右方向の側壁２１の内側面２２を扉に設置したラッチボルトなどの係合部３２とした内ケース３が左右方向（水平方向）にのみ移動可能に配置されるとともに、調整用の回転軸４３を前記内ケース３の底面３３に形成した軸孔３４に嵌装、露出させるとともにカム面４４を前記トロヨケ２の左右方向の側壁２１の内側面２２に当接させた駆動板カム４と、前記駆動板カム４と連結板７により連結されて同一回転変位する従動板カム５，６とが前記トロヨケ２内に配置されて前記駆動板カム４を回転させることにより前記内ケース３を左右方向に移動させて前記係合部３２位置を調整可能とした。【選択図】図１
2018131847.tif 000002
【特許請求の範囲】
【請求項１】
前方が開口された箱形状の固定の外ケースであるトロヨケ内に左右方向の側壁の内側面を扉に設置したラッチボルトなどの係合部とした内ケースが左右方向（水平方向）にのみ移動可能に配置されるとともに、調整用の回転軸を前記内ケースの底面に形成した軸孔に嵌装、露出させるとともにカム面を前記トロヨケの左右方向の側壁の内側面に当節させた駆動板カムが前記トロヨケ内に配置されて前記駆動板カムを回転させることにより前記内ケースを左右方向に移動させて前記係合部位置を調整可能とした錠のラッチボルトやデッドボルトなどを係入させるため扉枠などに取り付けられる調整ストライクであって、
前記内ケースにおける底面の前記駆動板カムの回転軸を嵌装する軸孔の上方向および下方向位置に配置した軸孔に前記駆動板カムと同一位置に回転軸と偏心軸とを有するとともにカム面を前記トロヨケにおける対向する側壁の内側面に当接させた同一の平面形状を有する従動板カムがそれらの回転軸において軸着されているとともに前記駆動板カムと従動板カムとが前記各偏心軸において連結板により連結され、前記駆動板カムの回転変位により前記駆動板カムおよび従動板カムの内で少なくとも従動板カムを同一回転変位させることにより前記内ケースを左右方向に移動させることを特徴とする調整ストライク。
【請求項２】
前記駆動板カムと従動板カムとが同一の平面形状であって、前記連結板により前記従動板カムと前記駆動板カムとが同一位置に回動変位されることを特徴とする請求項１記載の調整ストライク。
【請求項３】
前記駆動板カムと従動板カムの内で少なくとも従動板カムの正面形が多角形であることを特徴とする請求項１または２記載の調整ストライク。
【請求項４】
前記内ケースが調整方向に付勢されていることを特徴とする請求項１，２または３記載の調整ストライク。
【発明の詳細な説明】
【技術分野】
【０００１】
本発明は、扉に取り付けられる錠のラッチボルトなど係入させるため、扉枠などに取り付けられる調整ストライクに関するものである。
【背景技術】
【０００２】
従来、扉に取り付けられる錠のラッチボルトやデッドボルトなどを係入させるため扉枠などにストライクが取り付けられており、特に、前方が開口された箱形状の固定の外ケースであるトロヨケ内に係合部を有する内ケースを左右方向（水平方向）に移動可能とし、板カムの偏心位置に形成した調整用の回転軸をドライバ等で回すことにより板カムを回動変位させることにより前記内ケースを左右方向に移動させて係合部の位置を調整できるようにした調整ストライクが実公平６−４３４０６号公報、実公平６−４９７８０号公報などに提示されている。
【０００３】
これらの調整ストライクは、扉枠などに取り付けた状態で板カムを調整用の回転軸をドライバ等で回すことにより係合部の位置を調整できるので極めて便利である。
【先行技術文献】
【特許文献】
【０００４】
【特許文献１】実公平６−４３４０６号公報
【特許文献２】実公平６−４９７８０号公報
【発明の概要】
【発明が解決しようとする課題】
【０００５】
ところが、前記従来の調整ストライクは、ラッチボルトなどが内ケースの係合部に強く衝突すると、その衝撃力の大部分が内ケースとトロヨケとの間を直接的に接続している板カムに伝えられることになり、板カム部分は損傷しやすいという問題があり、また、ラッチボルトおよびデッドボルトを受け入れることができるようにした共用タイプの用途や扉に予め設置されたラッチやデッドボルトの高さ位置に合わせて上下方向の係止位置を対応可能な汎用のストライクにあっては上下方向に長く作られていることから調整係合部を有する内ケースの横方向の平行移動が困難で斜めになりやすく円滑な調整が困難であるという問題がある。
【０００６】
本発明は、前記上下方向に長く形成された調整ストライクが有する問題点を解決するためになされたものであり、ラッチボルトなどの係合により板カムに負担が掛からず、上下方向に長く作られている場合にあっても円滑な調整が可能な調整ストライクを提供することを課題とする。
【課題を解決するための手段】
【０００７】
前記課題を解決するためになされた本発明である調整ストライクは、前方が開口された箱形状の固定の外ケースであるトロヨケ内に左右方向の側壁の内側面を扉に設置したラッチボルトなどの係合部とした内ケースが左右方向（水平方向）にのみ移動可能に配置されるとともに、調整用の回転軸を前記内ケースの底面に形成した軸孔に嵌装、露出させるとともにカム面を前記トロヨケの左右方向の側壁の内側面に当接させた駆動板カムが前記トロヨケ内に配置されて前記駆動板カムを回転させることにより前記内ケースを左右方向に移動させて前記係合部位置を調整可能とした錠のラッチボルトやデッドボルトなどを係入させるため扉枠などに取り付けられる調整ストライクであって、前記内ケースにおける底面の前記駆動板カムの回転軸を嵌装する軸孔の上方向および下方向位置に配置した軸孔に前記駆動板カムと同一位置に回転軸と偏心軸とを有するとともにカム面を前記トロヨケにおける対向する側壁の内側面に当接させた同一の平面形状を有する従動板カムがそれらの回転軸において軸着されているとともに前記駆動板カムと従動板カムとが前記各偏心軸において連結板により連結され、前記駆動板カムの回転変位により前記駆動板カムおよび従動板カムの内で少なくとも従動板カムを同一回転変位させることにより前記内ケースを左右方向に移動させることを特徴とする。
【０００８】
本発明によれば、ラッチボルトなどを係合する係合部を有する内ケースを上下方向に配置した駆動板カムと複数の従動板カムの少なくとも複数の従動板カムにより上下方向に分散させて保持させることにより板カムの損傷を防止するとともに例えばラッチボルトとデッドボルトを共用するような上下方向に長いストライクであっても円滑な調節を可能とした。
【０００９】
また、本発明において、前記駆動板カムと従動板カムとが同一の平面形状であって、前記連結板により前記従動板カムと前記駆動板カムとが同一位置に回動変位される場合には駆動板カムを調整するだけで従動板カムも同一の回動位置に配置されるので調整を確実に行うことができるばかりか上下３カ所で内ケースである係合部を保持するので使用中に調整位置がずれるような心配もない。
【００１０】
更に、本発明において、前記駆動板カムと従動板カムの内で少なくとも従動板カムの正面形が多角形であることにより調整位置をより確実に保持させることができ、更に、使用時に調整位置がずれる心配がない。
【００１１】
更にまた、前記内ケースが調整方向に付勢されている場合には更に確実に調整位置を保持させることができる。
【発明の効果】
【００１２】
本発明によれば、板カムを用いて係合位置を調整する調整ストライクにいて、使用時における板カムの損傷を防止するとともに例えばラッチボルトとデッドボルトを共用するような場合や予め扉枠などの高さ位置に設置しておくことで許容範囲に所望の高さ位置に設置されているラッチやデッドボルトなどに対応可能な汎用ストライクとして使用可能な上下方向に長い係合部を有するストライクであっても円滑な調節を可能とした調整ストライクを得ることができる。
【図面の簡単な説明】
【００１３】
【図１】本発明である調整ストライクにおける好ましい実施の形態を示す斜視図。
【図２】図１に示した実施の形態の分解斜視図。
【図３】駆動板カムおよび従動板カムと連結板との軸着状態を示す説明図であり、（ａ）は表側から見た状態、（ｂ）は裏側から見た状態を示す。
【図４】図１に示した実施の形態に用いられる駆動板カムの平面図。
【図５】図１に示した実施の形態の使用状態を示す説明図。
【図６】図５のカバー板を外した状態を示す説明図。
【図７】本発明の異なる実施の形態を示す斜視図。
【図８】図７に示した実施の形態の分解斜視図。
【図９】図７に示した実施の形態における駆動板カムおよび従動板カムと連結板との軸着状態を示す説明図であり、（ａ）は表側から見た状態、（ｂ）は裏側から見た状態を示す。
【図１０】図７に示した実施の形態の使用状態を示す説明図。
【図１１】図１０のカバー板を外した状態を示す説明図。
【発明を実施するための形態】
【００１４】
以下に、本発明の好ましい実施の形態について図面を参照して詳細に説明する。
【００１５】
図１および図２は本発明の好ましい実施の形態を示すものであり、調整ストライク１は、前方が開口された箱形状の固定の外ケースであるトロヨケ２と、前記トロヨケ２内に左右方向（水平方向）にのみ移動可能に嵌装されて断面が正面を開放したほぼコ字形で一方の側壁３１の内側面をラッチボルトなど（図示せず）の係合部３２とする内ケース３と、頂面に調整用の工具差し込み部４１を有して表面４２に形成した回転軸４３を内ケース３の底面３３に形成した軸孔３４に嵌装、露出させるとともに周面に形成したカム面４４をトロヨケ２の左右方向の一方の側壁２１の内側面２２に当接させた駆動板カム４と、前記内ケース３における底面３３に形成された前記駆動板カム４の回転軸４３を嵌装する軸孔３４の上方向および下方向位置の直線方向所定位置に配置した軸孔３５，３６に表面に形成した回転軸５１，６１を嵌装させるとともに前記内ケース３の底面３３の裏面に沿って且つ周面に形成したカム面５２，６２をトロヨケ２の左右方向の一方の側壁２１の内側面２２に当接させた上下一対の従動板カム５，６と、図３に示すように前記駆動板カム４と従動板カム５，６の裏面にそれぞれ形成した偏心軸４５，５３，６３を嵌装する軸孔７１，７２，７３を形成した連結板７と、内ケース３の調整範囲を露出させる開窓８１を有して前記トロヨケ２の前面を覆うカバー板８と、前記トロヨケ２内に配置される内ケース３を調整方向に付勢する板バネ９とから構成される。
【００１６】
更に説明すると、扉枠などに形成される取り付け溝（図示せず）に嵌装される前記トロヨケ２は正面開口部の上縁および下縁に延設された取付片２３，２３に取付ねじ（図示せず）の取付孔２４，２４が形成されており、従来の調整ストライクと同様に前記トロヨケ２の表面に重ねて扉枠などに形成した彫り込み溝（図示せず）に嵌め込み、前記トロヨケ２に形成した取付孔２４，２４に連通させた前記カバー板８の取付孔８２，８２を介して取付ねじ（図示せず）により固着される。
【００１７】
このとき、本実施の形態である調整ストライク１は従来のラッチボルトの係合部の上下方向の長さが使用するラッチボルト（図示せず）の上下方向の長さに合わせて形成されている従来品のように高さ位置をラッチボルトの取付高さに合わせた位置に正確に設置する必要があり、取付作業に正確さを必要として熟練を要するが、係合部の幅方向（水平方向）の調整が可能なことは言うまでもなく、係合部が長く形成されているので縦方向の係合位置についても許容幅が大きく取れることから汎用のストライクとして使用することができるばかりか取付高さ位置も従来のように対となるラッチなどの設置高さに正確に合わせる必要もなく予め工場で組み立てておいても異なる高さ位置に予め別の工程で扉などに設置したラッチなどに対応可能であり、極めて便利で経済的にも有利である。
【００１８】
また、前記駆動板カム４および従動板カム５，６の周面に形成されたカム面４４，５２，６２は同一の形状を有し、連結板７により同期して回転させることができるとともに正面形が多角形であることにより調整位置を確実に保持させることができる。図４は駆動板カム４の平面の一例を示すものであり、２７０度の回転範囲においてトロヨケ２（図示せず）との間に９段階の停止位置を確保する変形９角形を有している。
【００１９】
更に、本実施の形態では、前記連結板７は上下方向の中央位置に形成した駆動板カム４の軸孔７１の周囲に円形の膨出部７４が形成されているとともにトロヨケ２の側壁２１の底部に前記膨出部７４を通過させる溝２５が形成されている。この膨出部７４は駆動板カム４を工具（図示せず）により回転軸４３を押圧しながら回転させたときに、回転軸４３の下側に位置する連結板７が左右方向に移動して回転軸４３が連結板７位置からずれてしまうことにより駆動板カム４が連結板７から外れてしまうことを防止するものである。
【００２０】
本実施の形態は、図５（ａ）、図６（ａ）に示すように扉枠など（図示せず）に設置した状態を示すものであり、内ケース３に形成した係合部３２が図示する最左側に位置して外カバー８の開窓８１に露出している調整前の状態である。
【００２１】
そして、内ケース３の底面３３に露出している回転軸４３をドライバーなどの工具を用いて時計回りに回転させることで図５（ｂ）、図６（ｂ）に示すように駆動板カム４を回動してカム位置を変位させると連結板７を介して前記駆動板カム４の上下方向に配置した従動板カム５，６が前記駆動板カム４と同一位置に回動変位される。
【００２２】
このとき、駆動板カム４および従動板カム５，６は図４に示すように回転する毎に回転軸４１，５１，６１が図示する右方向に移動して回転軸４１，５１，６１が軸着されている内ケース３を板バネ９の付勢力に抗して図示する右方向に平行移動させるので内ケース３に形成されるラッチボルトなど（図示せず）の係合部３２が移動する。
【００２３】
従って、本実施の形態では、駆動板カム４を調整するだけで従動板カム５，６も同一の回動位置に配置されるので調整を確実に行うことができるばかりか上下３カ所で内ケース３である係合部３２を保持するので使用中に調整位置がずれるような心配もない。
【００２４】
図５（ｃ）および図６（ｃ）は本実施の形態において、係合部３２を図示する最右方に移動させた状態を示すものである。
【００２５】
図７乃至図１１は本発明の異なる実施の形態を示すものであり、以下、詳細に説明するが、前記実施の形態と同一構成部には同一符号を付して説明する。
【００２６】
本実施の形態は、全体の構成ならびに作用・効果は前記図１乃至図６に示した実施の形態とほぼ同様であるが、駆動板カム４、従動板カム５，６ならびに連結板７の形状が異なる。
【００２７】
更に説明すると、図９に示すように、前記従動板カム５，６は前記図１乃至図６に示した実施の形態と同様に周面にトロヨケ２における側壁２１の内側面２２に当接するカム面５２，６２を有する平面多角形の板カムであるが、駆動板カム４が平面小判形であるとともに係合部３２を有する内ケース３を直接移動させるものでなく、平面視略Ｅ形の連結板７を介して上下方向に配置した前記従動板カム５，６を駆動する働きをする。
【００２８】
また、本実施の形態では、前記駆動板カム４、従動板カム５，６の裏面に前記連結板７に形成した凹部７５に嵌装する前記連結板７と同一厚さの半小判形の突出部４６，５４，６４が突出されており、前記従動板カム５，６を１８０度回転させるごとに突出部４６，５４，６４が凹部７５にそれぞれ嵌装して連結板７の左右方向の移動を規制する。
【００２９】
本実施の形態によれば、図１０および図１１の使用状態に示すように、前記図１乃至図６に示した実施の形態と異なり、駆動板カム４は直接係合部３２を有する内ケース３を移動させるのでなく、連結板７を介して従動板カム５，６を回動させて内ケース３を移動させるので調整が容易で円滑に行うことができるなどの利点を有している。
【符号の説明】
【００３０】
１  調整ストライク、２  トロヨケ、３  内ケース、４  駆動板カム、５  従動板カム、６  従動板カム、７  連結板、８  カバー板、９  板バネ、２１  側壁、２２  内側面、２３  取付片、２４  取付孔、２５  溝、３１  側板、３２  係合部、３３  底面、３４  軸孔、３５  偏心軸、３６  軸孔、４１  工具差し込み部、４２  表面、４３  回転軸、４４  カム面、４５  偏心軸、５１  回転軸、５２  カム面、５３  偏心軸、６１  回転軸、６２  カム面、６３  偏心軸、７１，７２，７３  軸孔、８１  開窓、８２  取付孔
【図１】
2018131847.tif 000003
【図２】
2018131847.tif 000004
【図３】
2018131847.tif 000005
【図４】
2018131847.tif 000006
【図５】
2018131847.tif 000007
【図６】
2018131847.tif 000008
【図７】
2018131847.tif 000009
【図８】
2018131847.tif 000010
【図９】
2018131847.tif 000011
【図１０】
2018131847.tif 000012
【図１１】
2018131847.tif 000013